(57)【特許請求の範囲】
【請求項１】
記録媒体受付装置であって、
表面に情報が記録された情報記録領域を有する記録媒体を挿入するための挿入口を有する記録媒体挿入部と、
前記挿入口よりも前記記録媒体受付装置の内側に配置され、挿入された前記記録媒体に記録された情報を読み取るセンサと、
挿入された前記記録媒体を内側に搬送する搬送ローラと、を備え、
前記記録媒体挿入部は、前記記録媒体の挿入方向から見て前記挿入口より上側に位置する上部部材と、前記記録媒体の挿入方向から見て前記挿入口より下側に位置し、前記上部部材と共に前記挿入口を構成する下部部材と、を有し、
前記上部部材の下縁は、前記下部部材の上縁よりも前記挿入口の外側に近い位置に設けられ、
前記挿入口のうち、前記記録媒体の挿入時における前記情報記録領域に対応する部分である記録領域対応部分には、前記記録媒体の挿入方向に沿って前記センサおよび前記搬送ローラより前記挿入口側における前記記録媒体の厚さ方向に対応する第１の方向に沿った大きさが、前記挿入口の他の部分である記録領域非対応部分より小さくなるように前記記録媒体の挿入方向に垂直な方向に前記挿入口側に突出する突起部が設けられている、記録媒体受付装置。
【請求項２】
請求項１に記載の記録媒体受付装置であって、
前記搬送ローラは、挿入された前記記録媒体の排出時に前記記録媒体の一部を把持し、
前記上部部材および前記下部部材の前記記録領域非対応部分は、前記上部部材および前記下部部材の前記記録領域対応部分よりも前記記録媒体の挿入方向前面側に突出する、記録媒体受付装置。
【請求項３】
請求項１または請求項２に記載の記録媒体受付装置であって、
前記突起部は、前記記録媒体が挿入される側に設けられている、記録媒体受付装置。
【請求項４】
記録媒体受付装置であって、
表面に情報が記録された情報記録領域を有する記録媒体を挿入するための挿入口を有する記録媒体挿入部と、
挿入された前記記録媒体の排出時に前記記録媒体の一部を把持する搬送ローラと、を備え、
前記記録媒体挿入部は、前記記録媒体の挿入方向から見て前記挿入口より上側に位置する上部部材と、前記記録媒体の挿入方向から見て前記挿入口より下側に位置し、前記上部部材と共に前記挿入口を構成する下部部材と、を有し、
前記上部部材の下縁は、前記下部部材の上縁よりも前記挿入口の外側に近い位置に設けられ、
前記挿入口のうち、前記記録媒体の挿入時における前記情報記録領域に対応する部分である記録領域対応部分は、前記記録媒体の厚さ方向に対応する第１の方向に沿った大きさが、前記挿入口の他の部分である記録領域非対応部分より小さく、
前記上部部材および前記下部部材の前記記録領域非対応部分は、前記上部部材および前記下部部材の前記記録領域対応部分よりも前記記録媒体の挿入方向前面側に突出する、記録媒体受付装置。
【請求項５】
請求項１ないし請求項４のいずれかに記載の記録媒体受付装置であって、
前記挿入口の前記記録領域対応部分は、前記記録媒体の前記情報記録領域に対向する側に前記第１の方向に沿った大きさが拡張された拡張部分を有する、記録媒体受付装置。
【請求項６】
請求項１ないし請求項５のいずれかに記載の記録媒体受付装置であって、
前記挿入口の前記記録領域対応部分の前記第１の方向に沿った位置は、前記記録領域非対応部分の前記第１の方向に沿った略中央の位置である、記録媒体受付装置。
【請求項７】
請求項５に記載の記録媒体受付装置であって、
前記拡張部分は、前記記録媒体の挿入時における前記記録媒体の挿入方向に略直交し、かつ前記第１の方向に略直交する方向に沿った位置にかかわらず、前記情報記録領域に対応する位置に形成されている、記録媒体受付装置。
【発明の詳細な説明】
【技術分野】
【０００１】
本発明は、表面に情報が記録された情報記録領域を有する記録媒体を受け付ける記録媒体受付装置に関する。
【背景技術】
【０００２】
現金自動取引装置（Ａｕｔｏｍａｔｅｄ  Ｔｅｌｌｅｒ  Ｍａｃｈｉｎｅ、以下「ＡＴＭ」と呼ぶ）や現金支払機（Ｃａｓｈ  Ｄｉｓｐｅｎｓｅｒ、以下「ＣＤ」と呼ぶ）は、キャッシュカードやクレジットカードといった表面に情報（顧客情報等）が記録された情報記録領域（例えば、磁気ストライプ）を有する記録媒体を受け付けて、所定の処理を行う。
【０００３】
ＡＴＭやＣＤのような記録媒体受付装置において、記録媒体に記録された情報を不正に入手するスキミングと称される犯罪が国内外において発生している。スキミングは、例えば、ＡＴＭやＣＤにおける記録媒体を挿入するための挿入口にスキミング装置を取り付け、利用者が記録媒体を挿入口に挿入したときに、スキミング装置で記録媒体の情報記録領域に記録された情報を読み取ることで実行される。
【０００４】
従来、妨害磁界を発生させてスキミングを防止する方法や、異物監視センサによりスキミング装置の取り付けを検出してスキミングを防止する方法等が知られている（例えば、特許文献１ないし３参照）。
【先行技術文献】
【特許文献】
【０００５】
【特許文献１】特開２００５−２６６９９９号公報
【特許文献２】特開２００１−６７５２５号公報
【特許文献３】特開２０１０−１７０３７９号公報
【発明の概要】
【発明が解決しようとする課題】
【０００６】
上記妨害磁界を発生させてスキミングを防止する方法では、装置の複雑化・大型化をまねく上に、妨害磁界を打ち消す装置がスキミング装置と併用された場合には、スキミングを確実には防止できないという問題があった。また、上記センサを用いてスキミングを防止する方法では、装置の複雑化・大型化をまねく上に、例えば薄型のスキミング装置といったセンサで検出できないスキミング装置によるスキミングを防止できないという問題があった。
【０００７】
本発明は、上述の課題を解決するためになされたものであり、記録媒体受付装置におけるスキミングをより確実に防止することを目的とする。
【課題を解決するための手段】
【０００８】
上記課題の少なくとも一部を解決するために、本発明は、以下の形態または適用例として実現することが可能である。本発明の一形態は、記録媒体受付装置であって、  表面に情報が記録された情報記録領域を有する記録媒体を挿入するための挿入口を有する記録媒体挿入部と；前記挿入口よりも前記記録媒体受付装置の内側に配置され、挿入された前記記録媒体に記録された情報を読み取るセンサと；挿入された前記記録媒体を内側に搬送する搬送ローラと、を備え；前記記録媒体挿入部は、前記記録媒体の挿入方向から見て前記挿入口より上側に位置する上部部材と、前記記録媒体の挿入方向から見て前記挿入口より下側に位置し、前記上部部材と共に前記挿入口を構成する下部部材と、を有し；前記上部部材の下縁は、前記下部部材の上縁よりも前記挿入口の外側に近い位置に設けられ；前記挿入口のうち、前記記録媒体の挿入時における前記情報記録領域に対応する部分である記録領域対応部分であって、前記記録媒体の挿入方向に沿って前記センサおよび前記搬送ローラより前記挿入口側における前記記録媒体の厚さ方向に対応する第１の方向に沿った大きさが、前記挿入口の他の部分である記録領域非対応部分より小さくなるように前記記録媒体の挿入方向に垂直な方向に前記挿入口側に突出する突起部が設けられている。このような形態であれば、挿入口の記録領域対応部分の記録媒体の厚さ方向に沿った大きさが、記録領域非対応部分の記録媒体の厚さ方向に沿った大きさより小さい。従って、この記録媒体受付装置では、スキミングをより確実に防止することができる。本発明の他の形態は、記録媒体受付装置であって、表面に情報が記録された情報記録領域を有する記録媒体を挿入するための挿入口を有する記録媒体挿入部と；挿入された前記記録媒体の排出時に前記記録媒体の一部を把持する搬送ローラと、を備え；前記記録媒体挿入部は、前記記録媒体の挿入方向から見て前記挿入口より上側に位置する上部部材と、前記記録媒体の挿入方向から見て前記挿入口より下側に位置し、前記上部部材と共に前記挿入口を構成する下部部材と、を有し；前記上部部材の下縁は、前記下部部材の上縁よりも前記挿入口の外側に近い位置に設けられ；前記挿入口のうち、前記記録媒体の挿入時における前記情報記録領域に対応する部分である記録領域対応部分は、前記記録媒体の厚さ方向に対応する第１の方向に沿った大きさが、前記挿入口の他の部分である記録領域非対応部分より小さく；前記上部部材および前記下部部材の前記記録領域非対応部分は、前記上部部材および前記下部部材の前記記録領域対応部分よりも前記記録媒体の挿入方向前面側に突出する。従って、この記録媒体受付装置では、スキミングをより確実に防止することができる。その他、本発明は、以下のような形態として実現することも可能である。
【０００９】
［適用例１］記録媒体受付装置であって、
表面に情報が記録された情報記録領域を有する記録媒体を挿入するための挿入口を有する記録媒体挿入部を備え、
前記挿入口のうち、前記記録媒体の挿入時における前記情報記録領域の位置に対応する部分である記録領域対応部分は、前記記録媒体の厚さ方向に対応する第１の方向に沿った大きさが、前記挿入口の他の部分である記録領域非対応部分より小さい、記録媒体受付装置。
【００１０】
この記録媒体受付装置では、挿入口の記録領域対応部分の記録媒体の厚さ方向に沿った大きさが、記録領域非対応部分の記録媒体の厚さ方向に沿った大きさより小さい。従って、この記録媒体受付装置では、スキミングをより確実に防止することができる。
【００１１】
［適用例２］適用例１に記載の記録媒体受付装置であって、
前記挿入口の前記記録領域対応部分は、前記記録媒体の前記情報記録領域に対向する側に前記第１の方向に沿った大きさが拡張された拡張部分を有する、記録媒体受付装置。
【００１２】
この記録媒体受付装置では、挿入口の記録領域対応部分は、記録媒体の情報記録領域に対向する側に記録媒体の厚さ方向に沿った大きさが拡張された拡張部分を有する。そのため、挿入口への記録媒体挿入時に、記録媒体の情報記録領域と記録媒体挿入部とが接触することがない。従って、この記録媒体受付装置では、記録媒体挿入時における記録媒体の情報記録領域の損傷を防ぐことができる。
【００１３】
［適用例３］適用例１または適用例２のいずれかに記載の記録媒体受付装置であって、
前記挿入口の前記記録領域対応部分の前記第１の方向に沿った位置は、前記記録領域非対応部分の前記第１の方向に沿った略中央の位置である、記録媒体受付装置。
【００１４】
この記録媒体受付装置では、挿入口の記録領域対応部の記録媒体の厚さ方向に沿った位置は、記録領域非対応部の記録媒体の厚さ方向に沿った位置の略中央の位置である。そのため、記録媒体挿入時に、記録領域非対応部における記録媒体が、記録媒体の厚さ方向において変形していても、挿入口に干渉する可能性を極小化することができる。従って、この記録媒体受付装置では、記録媒体挿入時に、記録媒体の受入および排出動作の操作性をさらに高めることができる。
【００１５】
［適用例４］適用例１ないし適用例３のいずれかに記載の記録媒体受付装置であって、
前記挿入口の前記記録領域対応部分は、前記記録媒体挿入部における前記挿入口を形成する外縁の一部を前記第１の方向に沿って突出させることにより形成されている、記録媒体受付装置。
【００１６】
この記録媒体受付装置では、挿入口の記録領域対応部分は、記録媒体挿入部における挿入口を形成する外縁の一部を記録媒体の厚さ方向に沿って突出させることにより形成されている。そのため、記録領域対応部分の形状を形成するために、挿入口を形成する外縁を一体より製造できる。従って、この記録媒体受付装置では、挿入口の形状を簡便に形成することができる。
【００１７】
［適用例５］適用例２に記載の記録媒体受付装置であって、
前記拡張部分は、前記記録媒体の挿入時における前記記録媒体の挿入方向に略直交し、かつ前記第１の方向に略直交する方向に沿った位置にかかわらず、前記情報記録領域に対応する位置に形成されている、記録媒体受付装置。
【００１８】
この記録媒体受付装置では、拡張部分は、記録媒体の挿入時における記録媒体の挿入方向に略直交し、かつ記録媒体の厚さ方向に略直交する方向に沿った位置にかかわらず、情報記録領域に対応する位置に形成されている。そのため、挿入口への記録媒体挿入時に、記録媒体の情報記録領域と記録媒体挿入部とが接触することがない。従って、この記録媒体受付装置では、記録媒体挿入時における記録媒体の情報記録領域の損傷をより確実に防ぐことができる。
【００１９】
なお、本発明は、種々の態様で実現することが可能であり、例えば、記録媒体受付装置、現金自動取引装置、現金支払機、記録媒体受付方法のほか、それらの方法または装置の機能を実現するためのコンピュータプログラム、そのコンピュータプログラムを記録した記憶媒体等の形態で実現することができる。
【図面の簡単な説明】
【００２０】
【図１】本発明の実施例における記録媒体受付装置としてのＡＴＭ１０の構成を概略的に示す説明図である。
【図２】カード取扱機構１００の外部構成を示す説明図である。
【図３】カード取扱機構１００のカード挿入口１３０付近の詳細構成を示す説明図である。
【図４】カード取扱機構１００のカード挿入口１３０付近の詳細構成を示す説明図である。
【図５】カード取扱機構１００のカード挿入口１３０付近の詳細構成を示す説明図である。
【図６】比較例のカード取扱機構１００’の外部構成を示す説明図である。
【図７】変形例におけるカード取扱機構１００のカード挿入口１３０付近の詳細構成を示す説明図である。
【図８】変形例におけるカード取扱機構１００のカード挿入口１３０付近の詳細構成を示す説明図である。
【図９】他の変形例におけるカード取扱機構１００ｆの詳細構成を示す説明図である。
【図１０】他の変形例におけるカード取扱機構１００ｇの詳細構成を示す説明図である。
【図１１】他の変形例におけるカード取扱機構１００ｈの外部構成を示す説明図である。
【発明を実施するための形態】
【００２１】
次に、本発明の実施の形態を実施例に基づいて以下の順序で説明する。
Ａ．実施例：
Ｂ．変形例：
【００２２】
Ａ．実施例：
図１は、本発明の実施例における記録媒体受付装置としての現金自動取引装置（Ａｕｔｏｍａｔｅｄ  Ｔｅｌｌｅｒ  Ｍａｃｈｉｎｅ、以下「ＡＴＭ」と呼ぶ）１０の構成を概略的に示す説明図である。ＡＴＭ１０は、表面に情報が記録された情報記録領域としての磁気ストライプＭＳを有する記録媒体としてのキャッシュカード（以下、「カード」と呼ぶ）ＣＡを受け付けて、顧客（利用者）の操作に基づき現金出納等の所定の取引を行う装置である。ＡＴＭ１０は、現金自動預け払い機とも呼ばれる。カードＣＡの磁気ストライプＭＳには、現金の支払いや預け入れといった取引処理に必要な顧客の情報（以下、「顧客情報」とも呼ぶ）が記録されている。カードＣＡにおける磁気ストライプＭＳの位置や大きさは、規格によって決まっている。
【００２３】
図１に示すように、ＡＴＭ１０は、操作するためにＡＴＭ前面に立つ顧客に対して向かい合う前面パネル９１０と、顧客側に迫り出した操作テーブル９２０と、を備えている。前面パネル９１０には、取扱可否ランプ９１１と、明細表印字機構４００と、通帳取扱機構５００と、カード取扱機構１００と、紙幣入出金機構７００と、硬貨入出金機構８００と、が設けられている。また、操作テーブル９２０には、操作部３００と、顧客探知センサ９２１と、が設けられている。なお、図１においては、ＡＴＭ１０の構成の一部について、図示を省略している。
【００２４】
取扱可否ランプ９１１は、点灯または消灯により、顧客に対して、取引が実行可能か不可能かの状態を通知する。明細表印字機構４００は、顧客がＡＴＭ１０で行った取引の内容を印字した明細書の発行を行う。通帳取扱機構５００は、顧客の通帳の受入および排出動作や、通帳への印字動作等を行う。カード取扱機構１００は、カードＣＡの受入および排出動作や、磁気ストライプＭＳに記録された顧客情報に対しての読み取りまたは書き込み動作、カードＣＡのエンボス部分のイメージの読み取り動作等を行う。紙幣入出金機構７００は、紙幣の入出金動作や、ＡＴＭ１０内部の図示しない紙幣の収納や搬送といった紙幣の管理を行う。硬貨入出金機構８００は、硬貨の入出金動作や、ＡＴＭ１０内部の図示しない硬貨の収納や搬送といった硬貨の管理を行う。なお、カード取扱機構１００は、本発明における記録媒体挿入部に相当する。
【００２５】
操作部３００は、例えば、入力機能と表示機能とを備えるタッチパネルにより構成されている。操作部３００は、種々の情報を画面に表示すると共に、顧客の画面へのタッチ操作を検知することにより、顧客の取引操作を誘導したり、取引操作によって画面に表示された項目の選択や暗証番号の入力等を受け付けたりするユーザーインターフェースである。なお、操作部３００は、タッチパネルに代えて、ディスプレイと操作ボタンとの組み合わせにより構成するものとしてもよい。顧客探知センサ９２１は、ＡＴＭ１０の前に立つ顧客の有無を検知するセンサである。顧客探知センサ９２１から得られた結果は、ＡＴＭ１０の図示しない制御部に送信され、制御部による操作部３００の点灯表示制御等に用いられる。
【００２６】
図２は、カード取扱機構１００の外部構成を示す説明図である。図２に示すように、カード取扱機構１００には、カードＣＡを挿入するためのカード挿入口１３０が形成されている。カード挿入口１３０は、左右方向に伸びるスリット状の開口であり、その上下の縁は、上部前方突出部１１０と、下部前方突出部１２０と、上部突起部１７０と、下部突起部１８０と、により規定されている。上部前方突出部１１０と下部前方突出部１２０とは、前面パネル９１０に対して、前方側、すなわち顧客側に突出した形状となっている。上部前方突出部１１０と下部前方突出部１２０との内部には、カード取扱機構１００の前方側へのスキミング装置の取り付けを検出する異物監視センサが装着可能となっている。
【００２７】
図３ないし図５は、カード取扱機構１００のカード挿入口１３０付近の詳細構成を示す説明図である。図３には、カード挿入口１３０のカードＣＡの挿入方向に略直交する断面が示されている。図４には、図２および図３のＡ−Ａの位置におけるカード取扱機構１００の断面の一部が示されている。図５には、図２および図３のＢ−Ｂの位置におけるカード取扱機構１００の断面の一部が示されている。
【００２８】
図４および図５に示すように、カード取扱機構１００には、前側搬送ローラ１４２と、奥側搬送ローラ１４６と、磁気ヘッド１５０と、カードセンサ１６２と、が設けられている。図４（ａ）および図５には、カードＣＡをカード挿入口１３０に挿入した状態を示しており、図４（ｂ）には、挿入されたカードＣＡが磁気ヘッド１５０およびカードセンサ１６２を通過した状態を示している。カードＣＡが前側搬送ローラ１４２まで接触する程度にカード挿入口１３０に挿入されると、前側搬送ローラ１４２は、カードＣＡの接触を感知して回転することによりカードＣＡをカード取扱機構１００の内部へと受け入れる。受け入れられたカードＣＡが磁気ヘッド１５０の上部を通過する際に、磁気ヘッド１５０は、磁気ストライプＭＳに記録されている顧客情報を読み取る。その後、カードＣＡは、カードセンサ１６２を通過し、奥側搬送ローラ１４６によって、さらにカード取扱機構１００の奥側へと搬送される。カード取扱機構１００による所定の処理が完了すると、前側搬送ローラ１４２および奥側搬送ローラ１４６は、カードＣＡをカード挿入口１３０からカード取扱機構１００の外部へと排出すると共に、前側搬送ローラ１４２はカードＣＡを把持する。そのため、カードＣＡは、カード挿入口１３０から完全に排出されるのではなく、操作者が取り出しやすい状態で把持される。
【００２９】
次に、カード挿入口１３０の詳細について説明する。図３（ａ）には、挿入されたカードＣＡがカード挿入口１３０の一方の端（右端）に隣接している状態を示しており、図３（ｂ）には、挿入されたカードＣＡがカード挿入口１３０の他方の端（左端）に隣接している状態を示している。本実施例の１０において使用されるカードＣＡの大きさや、カードＣＡにおける磁気ストライプＭＳの位置および大きさは、規格によって決まっている。そのため、カード挿入口１３０の右端から左端までの大きさが決まれば、カード挿入口１３０における磁気ストライプＭＳに対向し得る部分が決まる。
【００３０】
上部突起部１７０および下部突起部１８０は、カードＣＡの厚さ方向に沿って、それぞれ下方および上方に突出している。上部突起部１７０と下部突起部１８０とは、カード挿入口１３０における挿入されたカードＣＡの磁気ストライプＭＳに対応する部分に形成されている。そのため、カード挿入口１３０におけるカードＣＡの厚さ方向に沿った大きさ（以下、単に「大きさ」と呼ぶ）は、上部突起部１７０および下部突起部１８０が形成された部分、すなわち磁気ストライプＭＳに対応する部分（以下、「磁気ストライプ対応部分１３７」と呼ぶ）の大きさａ１が、他の部分（以下、「磁気ストライプ非対応部分１３８」と呼ぶ）の大きさｃより小さくなっている。なお、磁気ストライプ対応部分１３７は、本発明における記録領域対応部分に相当し、磁気ストライプ非対応部分１３８は、本発明における記録領域非対応部分に相当する。また、カードＣＡの厚さ方向は、本発明における第１の方向に相当する。また、磁気ストライプ対応部分１３７の大きさａ１は、図４（ａ）に示すように、上部突起部１７０の下縁である上部突起部下縁１７１と下部突起部１８０の上縁である下部突起部上縁１８１との間の距離である。なお、下部突起部上縁１８１は、下部突起部１８０の上縁の内、後述する凹部１８４以外の部分（下部突起部１８０の端部）の上縁である。また、磁気ストライプ非対応部分１３８の大きさｃは、図５に示すように、上部前方突出部１１０の下縁である上部前方突出部下縁１１１と下部前方突出部１２０の上縁である下部前方突出部上縁１２１との間の距離である。
【００３１】
なお、本実施例では、上部突起部１７０および下部突起部１８０の高さ（カードＣＡの厚さ方向に沿った大きさ）は、ほぼ同じである。そのため、カード挿入口１３０における磁気ストライプ対応部分１３７のカードＣＡの厚さ方向に沿った位置は、磁気ストライプ非対応部分１３８のカードＣＡの厚さ方向に沿ったおよそ中央の位置となっている。
【００３２】
また、下部突起部１８０の磁気ストライプＭＳに対向する面（すなわち上面）には、カードＣＡの厚さ方向に沿った深さａ２の凹部１８４が形成されている。そのため、磁気ストライプ対応部分１３７の凹部１８４に対応する部分（以下「拡張部分１３５」と呼ぶ）は、磁気ストライプＭＳに対向する側にカードＣＡの厚さ方向に沿った大きさが拡張されている。すなわち、磁気ストライプ対応部分１３７における拡張部分１３５の大きさは、（ａ１＋ａ２）である。この拡張部分１３５の大きさ（ａ１＋ａ２）も、磁気ストライプ非対応部分１３８の大きさｃより小さい。なお、本実施例では、磁気ストライプ対応部分１３７における拡張部分１３５の位置は、図３に示した断面における略中央の位置となっている。また、拡張部分１３５の大きさａ２は、下部突起部１８０の下部突起部上縁１８１と下部突起部１８０の上縁の内、下部突起部上縁１８１以外の部分、すなわち凹部１８４の下縁である凹部下縁１８５との間の距離である。
【００３３】
図３（ａ）および図３（ｂ）に示すように、拡張部分１３５は、カードＣＡ挿入時に、カードＣＡがカード挿入口１３０の右端または左端に隣接していても、カードＣＡの磁気ストライプＭＳに対応している。すなわち、拡張部分１３５は、カードＣＡ挿入時におけるカードＣＡの挿入方向に略直交し、かつカードＣＡの厚さ方向に略直交する方向に沿った位置にかかわらず、磁気ストライプＭＳに対応する。なお、本明細書では、「略直交」とは、２直線または平面、直線と平面とが９０度±５度の角度で交わることを意味する。
【００３４】
図４および図５に示すように、カードＣＡ挿入方向および厚さ方向に平行な断面では、カード挿入口１３０の上縁の形状は、上部前方突出部下縁１１１や上部突起部下縁１７１を下端として、カード挿入口１３０の外部および内部に向かって上方に向かう勾配を有する形状である。また、カード挿入口１３０の下端の形状は、下部前方突出部上縁１２１や下部突起部上縁１８１や凹部下縁１８５を上端として、カード挿入口１３０の外部および内部に向かって下方に向かう勾配を有する形状である。そのため、カードＣＡの挿入および排出時に、カードＣＡがカード挿入口１３０の上縁や下縁に干渉して挿入および排出動作が妨げられることが抑制される。
【００３５】
また、図４および図５に示すように、カード挿入口１３０の上部前方突出部下縁１１１および上部突起部下縁１７１は、カードＣＡ挿入方向および厚さ方向に平行な断面において、それぞれカード挿入口１３０の下部前方突出部上縁１２１および下部突起部上縁１８１よりもカード挿入口１３０の外側に近い位置に設けられている。そのため、カード挿入口１３０からの雨水等の侵入が抑制される。
【００３６】
なお、カード挿入口１３０における磁気ストライプ対応部分１３７の大きさａ１は、カードＣＡが挿入可能な限りにおいて、カードＣＡと同等程度の厚さであることが好ましく、例えば、２ｍｍから３ｍｍ程度であることが好ましい。また、カード挿入口１３０における凹部１８４の深さａ２は、下部突起部１８０との接触によってカードＣＡの磁気ストライプＭＳを損傷させない限りにおいて、より小さい方が好ましく、１ｍｍ以下であることが好ましい。
【００３７】
図３（ｃ）には、一部が変形しているカードＣＡをカード挿入口１３０に挿入したときの状態を示している。カード挿入口１３０では、磁気ストライプ非対応部分１３８の大きさｃが磁気ストライプ対応部分１３７の大きさａ１よりも大きいため、カードＣＡが厚さ方向に多少変形（例えば、反り）していても、カードＣＡの受入および排出動作が可能である。カード挿入口１３０における磁気ストライプ非対応部分１３８の大きさｃは、カードの変形量と操作性から、５ｍｍ程度であることが好ましい。
【００３８】
以上説明したように、本実施例のＡＴＭ１０では、カード挿入口１３０の磁気ストライプ対応部分１３７のカードＣＡの厚さ方向に沿った大きさａ１が、磁気ストライプ非対応部分１３８のカードＣＡの厚さ方向に沿った大きさｃより小さい。そのため、以下に説明するように、スキミングをより確実に防止することができる。
【００３９】
図６は、比較例のカード取扱機構１００’の外部構成を示す説明図である。比較例のカード取扱機構１００’では、上記実施例における上部突起部１７０と下部突起部１８０といった突出部がない。そのため、カード挿入口１３０’のカードＣＡの厚さ方向に沿った大きさｃ’は、カード挿入口１３０’全体を通じて、上述した実施例のカード挿入口１３０の磁気ストライプ非対応部分１３８における大きさｃと同一である。よって、比較例のカード取扱機構１００’では、カード挿入口１３０’の磁気ストライプＭＳに対応する位置に薄型のスキミング装置が配置され、磁気ストライプＭＳに記録された顧客情報が読み取られるおそれがある。
【００４０】
また、仮に、比較例のカード取扱機構１００’において、カード挿入口１３０’の大きさｃ’をカードＣＡの厚さと同等程度にした場合には、カード挿入口１３０’に薄型のスキミング装置を設置するとカードＣＡが干渉するため、スキミングを防止することはできるが、通常のカードＣＡの受入および排出動作が悪化し、例えば、カードＣＡが変形していると、カードＣＡのカード挿入口１３０’への挿入やカード挿入口１３０’からのカードＣＡの排出が不可能となる場合がある。
【００４１】
これに対し、本実施例のカード取扱機構１００では、磁気ストライプＭＳに記録された顧客情報を読み取るために、薄型のスキミング装置を磁気ストライプ対応部分１３７に設置すると、カードＣＡを挿入する厚さが十分に確保でないためにカードＣＡを挿入することができず、スキミング装置による情報の読み取りを行うことができない。従って、本実施例のＡＴＭ１０では、スキミングをより確実に防止することができる。
【００４２】
また、本実施例のカード取扱機構１００では、カード挿入口１３０の磁気ストライプ対応部分１３７のカードＣＡの厚さ方向における大きさａ１は、カードＣＡの厚さと同等程度であり、カード挿入口１３０の磁気ストライプ非対応部分１３８のカードＣＡの厚さ方向における大きさｃはａ１より大きい。そのため、カードＣＡが変形していても、磁気ストライプ非対応部分１３８の大きさｃが十分な大きさであるため、カードＣＡの受入および排出動作が悪化しない。また、カード挿入口１３０の磁気ストライプ対応部分１３７には、薄型のスキミング装置を設置できないため、スキミングを防止することができる。
【００４３】
また、本実施例のＡＴＭ１０では、カード挿入口１３０の磁気ストライプ対応部分１３７は、カードＣＡの磁気ストライプＭＳに対向する側にカードＣＡの厚さ方向に沿った大きさが拡張された拡張部分１３５を有する。そのため、カード挿入口１３０へのカードＣＡ挿入時に、カードＣＡの磁気ストライプＭＳと下部突起部１８０の凹部下縁１８５とが接触することがない。従って、本実施例のＡＴＭ１０では、カードＣＡ挿入時におけるカードＣＡの磁気ストライプＭＳの損傷を防ぐことができる。
【００４４】
また、本実施例のＡＴＭ１０では、カード挿入口１３０の磁気ストライプ対応部分１３７のカードＣＡの厚さ方向に沿った位置は、磁気ストライプ非対応部分１３８のカードＣＡの厚さ方向に沿った位置の略中央の位置である。そのため、カードＣＡ挿入時に、磁気ストライプ非対応部分１３８におけるカードＣＡが、カードＣＡの厚さ方向において変形していても、カード挿入口１３０に干渉する可能性を極小化することができる。従って、本実施例のＡＴＭ１０では、カードＣＡ挿入時に、カードＣＡの受入および排出動作の操作性をさらに高めることができる。
【００４５】
また、本実施例のＡＴＭ１０では、カード挿入口１３０の磁気ストライプ対応部分１３７は、カード取扱機構１００におけるカード挿入口１３０を形成する上部突起部１７０と下部突起部１８０とをカードＣＡの厚さ方向に沿って突出させることにより形成されている。そのため、磁気ストライプ対応部分１３７の形状を形成するために、上部前方突出部１１０と下部前方突出部１２０と上部突起部１７０と下部突起部１８０といった外縁部分は、一体成型等により製造できる。従って、本実施例のＡＴＭ１０では、カード挿入口１３０の形状を簡便に形成することができる。
【００４６】
また、本実施例のＡＴＭ１０では、拡張部分１３５は、カードＣＡの挿入時におけるカードＣＡの挿入方向に略直交し、かつカードＣＡの厚さ方向に略直交する方向に沿った位置にかかわらず、磁気ストライプＭＳに対応する位置に形成されている。そのため、カード挿入口１３０へのカードＣＡ挿入時に、カードＣＡの磁気ストライプＭＳと拡張部分１３５における凹部下縁１８５とが接触することがない。さらに、カード挿入口１３０における拡張部分１３５に対応する位置に、挿入されたカードＣＡの磁気ストライプＭＳが位置するような構成を採用することにより、カードＣＡがカード挿入口１３０の左端を基準に挿入された場合も、カード挿入口１３０の右端を基準に挿入された場合でも、下部突起部上縁１８１と磁気ストライプＭＳが接触することがない。従って、本実施例のＡＴＭ１０では、カードＣＡ挿入時におけるカードＣＡの磁気ストライプＭＳの損傷をより確実に防ぐことができる。なお、下部突起部上縁１８１は、凹部１８４を挟むように、磁気ストライプ対応部分１３７の両端に設けても良いし、片側にのみ設けても良い。
【００４７】
Ｂ．変形例：
なお、この発明は上記の実施例や実施形態に限られるものではなく、その要旨を逸脱しない範囲において種々の態様において実施することが可能であり、例えば次のような変形も可能である。
【００４８】
Ｂ１．変形例１：
図７は、変形例におけるカード取扱機構１００のカード挿入口１３０付近の詳細構成を示す説明図である。図７（ａ）には、変形例におけるカード挿入口１３０ａのカードＣＡの挿入方向に略直交する断面が示されている。図７（ａ）に示す変形例のカード取扱機構１００ａは、カード挿入口１３０ａの磁気ストライプ対応部分１３７ａにおける拡張部分１３５がない点と磁気ストライプ対応部分１３７ａがカード挿入口１３０ａの一方の端（右端）まで達している点とが、上述した本実施例のカード挿入口１３０と異なる。
【００４９】
図７（ａ）に示した変形例においても、上述した実施例と同様に、カード挿入口１３０ａの磁気ストライプ対応部分１３７ａの大きさａ１は、磁気ストライプ非対応部分１３８ａの大きさｃより小さい。また、カード挿入口１３０ａの磁気ストライプ対応部分１３７ａのカードＣＡの厚さ方向に沿った位置は、磁気ストライプ非対応部分１３８ａのカードＣＡの厚さ方向に沿った略中央の位置である。従って、図７（ａ）に示す変形例のカード取扱機構１００ａでは、スキミングをより確実に防止することができる。また、カード取扱機構１００ａでは、カードＣＡ挿入時に、磁気ストライプ非対応部分１３８ａにおけるカードＣＡが、カードＣＡの厚さ方向において変形していても、カード挿入口１３０ａに干渉する可能性を極小化することができるため、カードＣＡの受入および排出動作の操作性をさらに高めることができる。
【００５０】
図７（ｂ）には、他の変形例におけるカード挿入口１３０ｂのカードＣＡの挿入方向に略直交する断面が示されている。図７（ｂ）に示す変形例の１００ｂは、カード挿入口１３０ｂの磁気ストライプ対応部分１３７ｂがカード挿入口１３０ｂの右端まで達している点が、上述した本実施例のカード取扱機構１００と異なる。
【００５１】
図７（ｂ）に示した変形例においても、上述した実施例と同様に、カード挿入口１３０ｂの磁気ストライプ対応部分１３７ｂの大きさａ１は、磁気ストライプ非対応部分１３８ｂの大きさｃより小さい。また、カード挿入口１３０ｂの磁気ストライプ対応部分１３７ｂは、カードＣＡの磁気ストライプＭＳに対向する側にカードＣＡの厚さ方向に沿った大きさが拡張された拡張部分１３５ｂを有する。また、カード挿入口１３０ｂの磁気ストライプ対応部分１３７ｂのカードＣＡの厚さ方向に沿った位置は、磁気ストライプ非対応部分１３８ｂのカードＣＡの厚さ方向に沿った略中央の位置である。従って、図７（ｂ）に示す変形例のカード取扱機構１００ｂでは、スキミングをより確実に防止することができると共に、カードＣＡ挿入時におけるカードＣＡの磁気ストライプＭＳの損傷を防ぐことができる。また、カード取扱機構１００ｂでは、カードＣＡ挿入時に、磁気ストライプ非対応部分１３８ｂにおけるカードＣＡが、カードＣＡの厚さ方向において変形していても、カード挿入口１３０ｂに干渉する可能性を極小化することができるため、カードＣＡの受入および排出動作の操作性をさらに高めることができる。
【００５２】
図７（ｃ）には、他の変形例におけるカード挿入口１３０ｃのカードＣＡの挿入方向に略直交する断面が示されている。図７（ｃ）に示す変形例の１００ｃは、カード挿入口１３０ｃの拡張部分１３５ｃの形状と磁気ストライプ対応部分１３７ｃがカード挿入口１３０ｃの右端まで達している点とが、上述した本実施例のカード取扱機構１００と異なる。
図７（ｃ）に示す変形例では、下部突起部１８０ｃに形成された凹部１８４ｃが、カード挿入口１３０ｃの一方の端（右端）まで達している。従って、拡張部分１３５ｃは、磁気ストライプ対応部分１３７ｃの中央ではなく、磁気ストライプ対応部分１３７ｃの中央から右端に至るまでの範囲となっている。
【００５３】
図７（ｃ）に示した変形例においても、上述した実施例と同様に、カード挿入口１３０ｃの磁気ストライプ対応部分１３７ｃの大きさａ１は、磁気ストライプ非対応部分１３８ｃの大きさｃより小さい。また、カード挿入口１３０ｃの磁気ストライプ対応部分１３７ｃは、カードＣＡの磁気ストライプＭＳに対向する側にカードＣＡの厚さ方向に沿った大きさが拡張された拡張部分１３５ｃを有する。また、カード挿入口１３０ｃの磁気ストライプ対応部分１３７ｃのカードＣＡの厚さ方向に沿った位置は、磁気ストライプ非対応部分１３８ｃのカードＣＡの厚さ方向に沿った略中央の位置である。従って、図７（ｃ）に示す変形例のカード取扱機構１００ｃでは、スキミングをより確実に防止することができると共に、カードＣＡ挿入時におけるカードＣＡの磁気ストライプＭＳの損傷を防ぐことができる。また、カード取扱機構１００ｃでは、カードＣＡ挿入時に、磁気ストライプ非対応部分１３８ｃにおけるカードＣＡが、カードＣＡの厚さ方向において変形していても、カード挿入口１３０ｃに干渉する可能性を極小化することができるため、カードＣＡの受入および排出動作の操作性をさらに高めることができる。
【００５４】
図８は、変形例におけるカード取扱機構１００のカード挿入口１３０付近の詳細構成を示す説明図である。図８（ａ）には、変形例におけるカード挿入口１３０ｄのカードＣＡの挿入方向に略直交する断面が示されている。図８（ａ）に示す変形例のカード取扱機構１００ｄは、カード挿入口１３０ｄの磁気ストライプ対応部分１３７ｄのカードＣＡの厚さ方向に沿った位置が磁気ストライプ非対応部分１３８ｄのカードＣＡの厚さ方向に沿った略中央ではなく最上部の位置である点と磁気ストライプ対応部分１３７ｄがカード挿入口１３０ｄの右端まで達している点とが、上述した本実施例のカード取扱機構１００と異なる。すなわち、図８（ａ）に示した変形例では、上部突起部１７０ｄが存在せず、下部突起部１８０ｄのみによって磁気ストライプ対応部分１３７ｄが形成されている。
【００５５】
図８（ａ）に示した変形例においても、上述した実施例と同様に、カード挿入口１３０ｄの磁気ストライプ対応部分１３７ｄの大きさａ１は、磁気ストライプ非対応部分１３８ｄの大きさｃより小さい。また、カード挿入口１３０ｄの磁気ストライプ対応部分１３７ｄは、カードＣＡの磁気ストライプＭＳに対向する側にカードＣＡの厚さ方向に沿った大きさが拡張された拡張部分１３５ｄを有する。従って、図８（ａ）に示す変形例のカード取扱機構１００ｄでは、スキミングをより確実に防止することができると共に、カードＣＡ挿入時におけるカードＣＡの磁気ストライプＭＳの損傷を防ぐことができる。
【００５６】
図８（ｂ）には、他の変形例におけるカード挿入口１３０ｅのカードＣＡの挿入方向に略直交する断面が示されている。図８（ｂ）に示す変形例のカード取扱機構１００ｅは、カード挿入口１３０ｅの磁気ストライプ対応部分１３７ｅのカードＣＡの厚さ方向に沿った位置が磁気ストライプ非対応部分１３８ｅのカードＣＡの厚さ方向に沿った略中央ではなく最下部の位置である点と磁気ストライプ対応部分１３７ｅがカード挿入口１３０ｅの右端まで達している点とが、上述した本実施例のカード取扱機構１００と異なる。すなわち、図８（ｂ）に示した変形例では、下部突起部１８０ｅが存在せず、上部突起部１７０ｅのみによって磁気ストライプ対応部分１３７ｅが形成されている。
【００５７】
図８（ｂ）に示した変形例においても、上述した実施例と同様に、カード挿入口１３０ｅの磁気ストライプ対応部分１３７ｅの大きさａ１は、磁気ストライプ非対応部分１３８ｅの大きさｃより小さい。また、カード挿入口１３０ｅの磁気ストライプ対応部分１３７ｅは、カードＣＡの磁気ストライプＭＳに対向する側にカードＣＡの厚さ方向に沿った大きさが拡張された拡張部分１３５ｅを有する。従って、図８（ｂ）に示す変形例のカード取扱機構１００ｅでは、スキミングをより確実に防止することができると共に、カードＣＡ挿入時におけるカードＣＡの磁気ストライプＭＳの損傷を防ぐことができる。
【００５８】
Ｂ２．変形例２：
図９は、他の変形例におけるカード取扱機構１００ｆの詳細構成を示す説明図である。図９（ａ）には、変形例のカード取扱機構１００ｆにおけるカードＣＡ挿入時の詳細構成が示されている。図９（ｂ）には、図９（ａ）の矢視Ｄからのカード取扱機構１００ｆの詳細構成が示されている。図９に示す変形例のカード取扱機構１００ｆは、いわゆるディップ式のカード取扱機構１００ｆである。このカード取扱機構１００ｆには、カードＣＡの受入および排出動作における搬送ローラの機能は備えられておらず、カード取扱機構１００ｆの操作者が挿入および排出動作を行う。カード取扱機構１００ｆは、カード挿入筐体１０５と、センサ装置１５５と、ガイド部１９０と、を備えている。
【００５９】
カード挿入筐体１０５は、挿入されたカードＣＡの磁気ストライプＭＳに記録された顧客情報の読み取りまたは書き込み動作等を行うときに、カードＣＡを保持しておく筐体である。カード挿入筐体１０５には、カードＣＡを挿入するための左右に伸びるスリット状の開口であるカード挿入口１３０ｆが形成されている。センサ装置１５５は、カード挿入筐体１０５と磁気ヘッド１５０ｆとの位置を固定するための取り付け装置である。ガイド部１９０は、カードＣＡをカード挿入口１３０ｆに挿入しやすくするための部品である。図９（ａ）に示すように、センサ装置１５５は、カードＣＡの挿入方向と平行な方向でカード挿入口１３０ｆを挟んでカード挿入筐体１０５の反対側（手前側）に設けられている。また、図９（ｂ）に示すように、センサ装置１５５は、磁気ストライプ対応部分１３７ｆを取り囲むように設けられている。センサ装置１５５のうち、磁気ストライプ対応部分１３７ｆの下方に位置し、磁気ストライプ対応部分１３７ｆに対向する側には、カードＣＡの磁気ストライプＭＳから顧客情報を読み取る磁気ヘッド１５０ｆが設けられている。なお、センサ装置１５５は、本変形例の形状と異なっていてもよい。例えば、センサ装置１５５のうち、磁気ヘッド１５０ｆが設けられていない磁気ストライプ対応部分１３７ｆの上方に位置する部分はなくてもよい。図９（ａ）に示すように、ガイド部１９０は、カードＣＡの挿入方向と平行な方向でカード挿入口１３０ｆを挟んでカード挿入筐体１０５の反対側（手前側）に設けられている。また、図９（ｂ）に示すように、ガイド部１９０は、カード挿入口１３０のうち、磁気ストライプ対応部分１３７ｆの反対側にある磁気ストライプ非対応部分１３８ｆの一部を取り囲むように設けられている。なお、ガイド部１９０は、本変形例の形状と異なっていてもよい。例えば、本変形例のガイド部１９０の一部のみがカード取扱機構１００ｆに備えていてもよいし、ガイド部１９０がなくてもよい。
【００６０】
図９に示した変形例においても、上述した実施例と同様に、カード挿入口１３０ｆの磁気ストライプ対応部分１３７ｆの大きさａ１は、磁気ストライプ非対応部分１３８ｆの大きさｃより小さい。また、カード挿入口１３０ｆの磁気ストライプ対応部分１３７ｆは、カードＣＡの磁気ストライプＭＳに対向する側にカードＣＡの厚さ方向に沿った大きさが拡張された拡張部分１３５ｆを有する。また、磁気ストライプ対応部分１３７ｆのカードＣＡの厚さ方向に沿った位置は、磁気ストライプ非対応部分１３８ｆのカードＣＡの厚さ方向に沿った略中央の位置である。従って、図９に示す変形例のカード取扱機構１００ｆでは、スキミングをより確実に防止することができると共に、カードＣＡ挿入時におけるカードＣＡの磁気ストライプＭＳの損傷を防ぐことができる。また、このカード取扱機構１００ｆでは、カードＣＡ挿入時にカードＣＡの受入および排出動作の操作性をさらに高めることができると共に、カード挿入口１３０ｆの形状を簡便に形成することができる。
【００６１】
Ｂ３．変形例３：
図１０は、他の変形例におけるカード取扱機構１００ｇの詳細構成を示す説明図である。図１０（ａ）には、変形例におけるカード取扱機構１００ｇにおける詳細構成が示されている。図１０（ｂ）には、変形例におけるカード取扱機構１００ｇにカードＣＡを挿入する時の様子が示されている。カード取扱機構１００ｇは、いわゆるスワイプ式のカード取扱機構１００ｇである。このカード取扱機構１００ｇは、スリット状のカード挿入溝１３２が形成されたカード挿入筐体１０５ｇを備えている。カード挿入溝１３２は、カードＣＡを挿入し矢印の方向にスライドさせることでカードＣＡの磁気ストライプＭＳの顧客情報を読み取る磁気ヘッド１５０ｇを備えている。カード挿入溝１３２の上下の縁は、溝上部１７８と溝下部１８８とにより規定されている。磁気ヘッド１５０ｇは、溝下部１８８の磁気ストライプＭＳに対向する面（上面）に設けられており、スライド方向におけるカード挿入溝１３２の入口付近に設けられている。なお、磁気ヘッド１５０の位置はこの位置に限られない。本変形例では、カード挿入溝１３２は、カードＣＡの磁気ストライプＭＳに対応する磁気ストライプ対応部分１３７ｇでもある。磁気ストライプ対応部分１３７ｇのカードＣＡの厚さ方向に沿った大きさ（以下、単に「大きさ」と呼ぶ）はａ１である。
【００６２】
カード挿入溝１３２には、溝下部１８８の上面にカードＣＡの厚さ方向に沿った深さａ２の凹部１８４ｇが形成されている。そのため、磁気ストライプ対応部分１３７ｇの凹部１８４ｇに対応する部分（以下「拡張部分１３５ｇ」と呼ぶ）は、磁気ストライプＭＳに対向する側にカードＣＡの厚さ方向に沿った大きさが拡張されている。
【００６３】
カード挿入溝１３２における磁気ストライプ対応部分１３７ｇの大きさａ１は、カードＣＡが挿入可能な限りにおいて、カードＣＡと同等程度の厚さであることが好ましく、例えば、２ｍｍから３ｍｍ程度であることが好ましい。また、カード挿入溝１３２における凹部１８４ｇの深さａ２は、溝下部１８８との接触によってカードＣＡの磁気ストライプＭＳを損傷させない限りにおいて、より小さい方が好ましく、１ｍｍ以下であることが好ましい。
【００６４】
すなわち、本変形例におけるカード取扱機構１００ｇを有する装置は、記録媒体受付装置であって、表面に情報が記録された情報記録領域を有する記録媒体を挿入するための溝を有する記録媒体挿入溝を備え、前記溝は、前記記録媒体の前記情報記録領域に対向する側に前記記録媒体の厚さ方向に沿った大きさが拡張された拡張部分を有する、記録媒体受付装置である。
【００６５】
以上説明したように、本変形例のカード取扱機構１００ｇは、顧客情報を記録した磁気ストライプＭＳを有するカードＣＡを挿入するためのカード挿入溝１３２を備え、カード挿入溝１３２は、カードＣＡの磁気ストライプＭＳに対向する溝下部１８８にカードＣＡの厚さ方向に沿った大きさが拡張された拡張部分１３５ｇを有している。そのため、カードＣＡの磁気ストライプＭＳが磁気ヘッド１５０ｇを通過するときに、磁気ストライプＭＳと下部突起部１８０ｇとが接触することがない。従って、本変形例のカード取扱機構１００ｇでは、カードＣＡ挿入時におけるカードＣＡの磁気ストライプＭＳの損傷を防ぐことができる。
【００６６】
Ｂ４．変形例４：
上記実施例では、カード挿入口１３０を形成している上部突起部１７０および下部突起部１８０に形成した突出部によって、カードＣＡの磁気ストライプＭＳに対応する磁気ストライプ対応部分１３７を形成しているが、他の方法で形成してもよい。例えば、カード挿入口１３０に対して、所定の肉厚を有するカード挿入口１３０と類似した外縁であるカード取扱機構１００としてもよい。また、別に製造した外縁を既存のカード挿入口１３０に取り付けることにより、磁気ストライプ対応部分１３７が形成されてもよい。
【００６７】
上記実施例では、カードＣＡの顧客情報が記録してある磁気ストライプＭＳをカード挿入口１３０の右下側に向けて挿入するタイプについて例示した。しかし、磁気ストライプＭＳの向きは、上記実施例に限定されず、磁気ヘッド１５０の位置によって変動するため、磁気ヘッド１５０の位置が他の位置にあってもよい。
【００６８】
上記実施例では、磁気ストライプＭＳに顧客情報を記録したカードＣＡを記録媒体としたが、そうでなくてもよい。情報を記録した記録媒体であれば、磁気によって情報を記録したものに限られないし、記録媒体はカードＣＡに限られない。
【００６９】
上記実施例では、図２に示すように、上部前方突出部１１０と下部前方突出部１２０とは、前面パネル９１０に対して、前方側、すなわち顧客側に突出した形状となっているが、そうでなくてもよい。また、上部突起部１７０と下部突起部１８０とは、前面パネル９１０に対して、同一面に位置しているが、そうでなくてもよい。図１１は、他の変形例におけるカード取扱機構１００ｈの外部構成を示す説明図である。図１１に示す変形例のカード取扱機構１００ｈでは、カード挿入口１３０ｈの上下の縁は、上部平面部１１５と、下部平面部１２５と、上部突起部１７０ｈと、下部突起部１８０ｈと、により規定されている。例えば、図１１の変形例では、上部平面部１１５および下部平面部１２５は、前面パネル９１０（図１）に対して突出せず、前面パネル９１０と同一面に位置している。また、上部突起部１７０ｈおよび下部突起部１８０ｈは、前面パネル９１０に対して、奥側に凹んだ形状になっている。このような構成のカード取扱機構１００ｈでも、上記実施例のカード取扱機構１００と同様に、カード挿入口１３０ｈにおける磁気ストライプ対応部分１３７ｈのカードＣＡの厚さ方向に沿った大きさは、磁気ストライプ非対応部分１３８ｈのカードＣＡの厚さ方向に沿った大きさより小さい。従って、図１１に示す変形例のカード取扱機構１００ｈでは、スキミングをより確実に防止することができる。
【００７０】
上記実施例では、ＡＴＭ１０の構成について説明した。しかし、上記実施例で示したＡＴＭ１０の態様は、あくまでＡＴＭ１０の構成の一例に過ぎず、本発明の要旨を逸脱しない範囲において種々の態様を採用することができる。例えば、各部を構成する部材の形状等を変形してもよいし、上述しない機能（例えば、音声案内部等）を備えるものとしてもよい。
【符号の説明】
【００７１】
１０…ＡＴＭ
１００…カード取扱機構
１０５…カード挿入筐体
１１０…上部前方突出部
１１１…上部前方突出部下縁
１１５…上部平面部
１２０…下部前方突出部
１２１…下部前方突出部上縁
１２５…下部平面部
１３０…カード挿入口
１３２…カード挿入溝
１３５…拡張部分
１３７…磁気ストライプ対応部分
１３８…磁気ストライプ非対応部分
１４２…前側搬送ローラ
１４６…奥側搬送ローラ
１５０…磁気ヘッド
１５５…センサ装置
１６２…カードセンサ
１７０…上部突起部
１７１…上部突起部下縁
１７８…溝上部
１８０…下部突起部
１８１…下部突起部上縁
１８４…凹部
１８５…凹部下縁
１８８…溝下部
１９０…ガイド部
３００…操作部
４００…明細表印字機構
５００…通帳取扱機構
７００…紙幣入出金機構
８００…硬貨入出金機構
９１０…前面パネル
９１１…取扱可否ランプ
９２０…操作テーブル
９２１…顧客探知センサ
ＣＡ…カード
ＭＳ…磁気ストライプ
【図１】
0005698086.tif 000002
【図２】
0005698086.tif 000003
【図３】
0005698086.tif 000004
【図４】
0005698086.tif 000005
【図５】
0005698086.tif 000006
【図６】
0005698086.tif 000007
【図７】
0005698086.tif 000008
【図８】
0005698086.tif 000009
【図９】
0005698086.tif 000010
【図１０】
0005698086.tif 000011
【図１１】
0005698086.tif 000012